(57)【要約】【課題】取引関与物を容易かつ適切に載置できるようにする。【解決手段】硬貨の取引処理を実行する現金自動取引処理装置１００であって、硬貨の取引に対する操作入力を受け付けるとともに硬貨の取引に関する情報の表示を行うためのタッチパネル部１０５と、硬貨を現金自動取引処理装置１００に対して投入又は排出が必要となる時点において、タッチパネル部１０５における硬貨の載置を許容する領域である載置許容領域に対する操作入力を無効にする上位装置３１８とを備えるように構成する。【選択図】図３
2019139668.tif 000002
【特許請求の範囲】
【請求項１】
所定の取引対象物の処理を実行する取引処理装置であって、
前記取引対象物の取引に対する操作入力を受け付けるとともに前記取引対象物の取引に関する情報の表示を行うためのタッチパネル部と、
前記取引対象物の取引に関わる取引関与物についての前記取引処理装置に対する投入又は排出が必要となる時点において、前記タッチパネル部における前記取引関与物の載置を許容する領域である載置許容領域に対する操作入力を無効にする操作入力制御手段と
を備える取引処理装置。
【請求項２】
前記取引対象物を前記取引処理装置に投入又は排出するための取引口部をさらに有し、
前記操作入力制御手段は、前記取引口部に対する前記取引対象物の投入又は排出する際において、前記タッチパネル部の前記載置許容領域に対する操作入力を無効にする
請求項１に記載の取引処理装置。
【請求項３】
前記取引口部内の前記取引対象物の有無を検知する取引対象物検知手段と、
前記載置許容領域に載置されている物体の有無を検出する物体検知手段と、をさらに有し、
前記操作入力制御手段は、前記取引口部内に前記取引対象物がなく、かつ前記載置許容領域に前記物体がない場合に、前記載置許容領域に対する操作入力の無効を解除する
請求項２に記載の取引処理装置。
【請求項４】
前記タッチパネル部に、前記載置許容領域に対する操作入力が無効中であること、または前記載置許容領域に前記取引対象物を載置可能であることの少なくとも一方を表示させる表示制御手段をさらに有する
請求項１から請求項３のいずれか一項に記載の取引処理装置。
【請求項５】
前記タッチパネル部に、前記取引口部から排出される取引対象物の種類と枚数とを確認可能な案内情報を表示させる案内表示制御手段をさらに有する
請求項１から請求項４のいずれか一項に記載の取引処理装置。
【請求項６】
前記取引口部内の前記取引対象物の有無を検知する取引対象物検知手段と、
前記載置許容領域に載置されている物体の有無を検出する物体検知手段と、をさらに有し、
前記操作入力制御手段は、前記取引口部内に前記取引対象物がなく、かつ前記載置許容領域に前記物体がない場合に、前記タッチパネル部の表示面上に、前記取引対象物の取り出しが完了した旨の操作入力を受付可能な取出完了ボタンを表示させるとともに、前記取出完了ボタンの表示領域に対する操作入力を有効とし、前記取出完了ボタンが押下された場合に、前記載置許容領域における操作入力の無効を解除する
請求項２に記載の取引処理装置。
【請求項７】
前記載置許容領域は、前記タッチパネル部のパネルの全面である
請求項１から請求項６のいずれか一項に記載の取引処理装置。
【請求項８】
前記取引対象物は、硬貨である
請求項１から請求項７のいずれか一項に記載の取引処理装置。
【請求項９】
前記タッチパネル部の前記載置許容領域における画像を撮影する撮影手段をさらに備え、
前記物体検知手段は、前記撮影手段により撮影された前記画像に基づいて、前記載置許容領域に前記物体の有無を検知する
請求項３に記載の取引処理装置。
【請求項１０】
所定の取引対象物の処理を実行する取引処理装置による取引処理方法であって、
前記取引処理装置は、前記取引対象物の取引に対する操作入力を受け付けるとともに前記取引対象物の取引に関する情報の表示を行うためのタッチパネル部を有し、
前記取引対象物の取引に関わる取引関与物についての前記取引処理装置に対する投入又は排出が必要となる時点において、前記タッチパネル部における前記取引関与物の載置を許容する領域である載置許容領域に対する操作入力を無効にする
取引処理方法。
【発明の詳細な説明】
【技術分野】
【０００１】
本発明は、例えば、通貨（紙幣、硬貨）や、ゲーム用のコイン等の取引対象物の取引を行うための取引処理装置等に関する。
【背景技術】
【０００２】
例えば、取引処理装置としては、通貨を取り扱う現金取引処理装置が知られている。現金取引処理装置に関する技術としては、特許文献１には、取引媒体を受入れたり放出したりするための媒体口、貨幣を受入れたり放出したりするための貨幣口、および、取引に係るキー操作や操作案内などを行なうための操作面を有し、この操作面において利用者が所定の操作を行なうことにより取引媒体の受入れや放出を伴う取引を自動的に行なう自動取引装置において、前記操作面に対向して位置する利用者の少なくとも上半身を含む画像を連続的に入力する画像入力手段と、この画像入力手段で入力された画像から、前記利用者の挙動を解析することにより前記利用者の物を探す挙動あるいは物を取出す挙動を検出する挙動検出手段と、前記取引媒体の投入を待機する処理において、あらかじめ定められた一定時間、取引媒体が投入されなかった又は取り出しされなかった場合、その時点で取引処理を終了するタイムアウト処理を行なうタイムアウト処理手段と、このタイムアウト処理手段によるタイムアウト処理を行なおうとした際、前記挙動検出手段が物を探す挙動あるいは物を取出す挙動を検出した場合、前記タイムアウト処理手段によるタイムアウト処理を所定時間遅延するよう制御する制御手段と、を具備したことを特徴とする自動取引装置が開示されている。
【０００３】
また、特許文献２には、紙幣入出金機及び硬貨入出金機と、前記紙幣入出金機及び硬貨入出金機を制御する制御部とを有する自動取引装置において、前記硬貨入出金機の硬貨挿入／排出口内に離脱自在に設けられ、出金された硬貨を収納する硬貨取り皿を備えたことを特徴とする自動取引装置が開示されている。
【先行技術文献】
【特許文献】
【０００４】
【特許文献１】特開平１１−１７５８１８号公報
【特許文献２】特開２００２−３４２８１３号公報
【発明の概要】
【発明が解決しようとする課題】
【０００５】
現金取引処理装置から大量の硬貨を出金した利用者は、一枚一枚数えながら財布に硬貨を入れたい場合がある。しかし、従来技術に係る装置は一定時間以内に硬貨を取り出さないときに警告音を鳴らす仕組みとなっている。大量の硬貨を利用者が計数をしていると、硬貨を一定時間で取り出すことができないため、取り忘れの警告音が鳴らされる。そして、鳴らされた警告音が利用者へ不快感を与えることで、利用者は硬貨の計数を終える前に硬貨を財布にしまうことを余儀なくされるなど、利便性に問題があった。
【０００６】
この状況を回避する手段として、特許文献１に開示された技術のように、画像により利用者の挙動を検出すると警告音を鳴らすことを一定時間遅延させる技術がある。しかし、画像により利用者の挙動が検出できない場合は、警告を鳴らすことを一定時間遅延させることができないという課題がある。
【０００７】
また、利用者に対して奥側に入出金口が配置され、かつタッチパネルが利用者の手前に配置されている現金処理装置では、利用者が硬貨を置いて数えるための場所がないという課題がある。これに対して、特許文献２に開示された技術のように入出金口に硬貨取り皿を設けることで、硬貨取り皿上で硬貨を数えるという技術がある。しかし、硬貨取り皿を入出金口に戻し忘れるという課題がある。
【０００８】
また、現金の取引を行うための現金取引処理装置に限られず、例えば、ゲーム用コインや、カジノ用チップ等の現金以外を取引するための取引処理装置においても同様な課題がある。また、現金のみならず、現金を取引する際の通帳やキャッシュカード等についてもタッチパネル上に載置できないといった同様な課題がある。
【０００９】
本発明は、上記事情に鑑みなされたものであり、その目的は、取引関与物を容易かつ適切に載置することのできる技術を提供することにある。
【課題を解決するための手段】
【００１０】
本発明の一観点に係る取引処理装置は、所定の取引対象物の処理を実行する取引処理装置であって、取引対象物の取引に対する操作入力を受け付けるとともに取引対象物の取引に関する情報の表示を行うためのタッチパネル部と、取引対象物の取引に関わる取引関与物についての取引処理装置に対する投入又は排出が必要となる時点において、タッチパネル部における前記取引関与物の載置を許容する領域である載置許容領域に対する操作入力を無効にする操作入力制御手段とを備える。
【発明の効果】
【００１１】
取引関与物を容易かつ適切に載置することのできる技術を提供することができる。
【図面の簡単な説明】
【００１２】
【図１】図１は、本発明の実施例１に係る現金自動取引処理装置の外観図である。
【図２】図２は、本発明の実施例１に係る硬貨処理機構部の概略構成図である。
【図３】図３は、本発明の実施例１に係る現金自動取引処理装置の機能ブロック図である。
【図４】図４は、本発明の実施例１に係る赤外線遮断方式のタッチパネル部の概略図である。
【図５】図５は、本発明の実施例１に係る出金時処理のフローチャートである。
【図６】図６は、本発明の実施例２に係る出金時処理のフローチャートである。
【図７】図７は、本発明の実施例２に係る硬貨載置案内画面を示す図である。
【図８】図８は、本発明の実施例２に係る硬貨計数補助画面を示す図である。
【図９】図９は、本発明の実施例２に係る硬貨取り出し完了確認画面を示す図である。
【図１０】図１０は、本発明の実施例３に係るタッチパネル部のパネル上に硬貨が載置されていない場合の画像を示す図である。
【図１１】図１１は、本発明の実施例３に係るタッチパネル部のパネル上に硬貨が載置されている場合の画像を示す図である。
【発明を実施するための形態】
【００１３】
実施形態について、図面を参照して説明する。なお、以下に説明する実施形態は特許請求の範囲に係る発明を限定するものではなく、また実施形態の中で説明されている諸要素及びその組み合わせの全てが発明の解決手段に必須であるとは限らない。
【００１４】
まず、本発明の実施形態に係る取引処理装置の概要について説明する。
【００１５】
本発明の実施形態に係る取引処理装置は、所定の取引対象物の処理を実行する取引処理装置であって、取引対象物の取引に対する操作入力を受け付けるとともに取引対象物の取引に関する情報の表示を行うためのタッチパネル部と、取引対象物の取引に関わる取引関与物についての取引処理装置に対する投入又は排出が必要となる時点において、タッチパネル部における取引関与物の載置を許容する領域である載置許容領域に対する操作入力を無効にする操作入力制御手段とを備える。本取引処理装置によると、取引関与物を取引処理装置に対する投入又は排出が必要となる時点において、タッチパネル部における取引関与物の載置を許容する領域である載置許容領域に対する操作入力を無効にするようにしたので、載置許容領域を、取引関与物を載置するために利用することができる。
【実施例１】
【００１６】
本発明の実施例１に係る現金自動取引処理装置について説明する。
【００１７】
図１は、本発明の実施例１に係る現金自動取引処理装置の外観図である。
【００１８】
取引処理装置の一例としての現金自動取引処理装置１００は、例えば、金融機関等に設置され、利用者の操作によって現金の預入や引出等の取引を行い、利用者の要求する種々の取引を自動的に実行する装置である。現金自動取引処理装置１００は、入力兼表示機能を備えたタッチパネル部１０５、カード処理機構及び明細票処理機構を備えたカード・明細書処理機構部１０２、通帳処理機構部１０３、紙幣入出金処理機構部１０４、硬貨処理機構部１０１、タッチパネル部１０５を撮影するタッチパネル用カメラ１０６等を備える。本実施形態においては、タッチパネル部１０５は、紙幣入出金処理機構部１０４や硬貨処理機構部１０１よりも利用者側の位置に、上方にパネルを向けて配置されている。タッチパネル部１０５は、現金自動取引処理装置１００における利用者側の部分の多くの領域を占めている。
【００１９】
図２は、本発明の実施例１に係る硬貨処理機構部の概略構成図である。
【００２０】
硬貨処理機構部１０１は、複数の硬貨が包装されて一体化された状態で硬貨を取り扱うのではなく、バラバラの状態の硬貨（取引対象物及び取引関与物の一例）を取り扱う装置である。硬貨処理機構部１０１は、シャッタ部２０１と、一時保留部２０２と、取引口部の一例としての入出金口部２０３と、出金搬送部２０４と、繰出し部２０５と、硬貨識別部２０６と、入金搬送部２０７と、金種別スタッカ２０８と、取引対象物検知手段の一例としての残留検知センサ２０９とを含む。
【００２１】
シャッタ２０１は、入出金口部２０３の上部に設けられ、入出金口部２０３を覆うカバーであり、スライド移動することにより入出金口部２０３を開閉する。入出金口部２０３は、利用者により現金自動取引処理装置１００に硬貨が投入される場合に、シャッタ２０１が開いた状態で硬貨が投入される部位である。入出金口部２０３に投入された硬貨は、入出金口部２０３で一時的に保持される。入出金口部２０３は、投入された入金すべき硬貨を一時的に保持した後に、硬貨処理機構部１０１の内部に取り込んだり、硬貨処理機構部１０１の内部から搬送されてくる出金すべき硬貨を一時的に保持し、その後に利用者により取り出し可能にしたりする。
【００２２】
繰出し部２０５は、入出金口部２０３から内部に取り込まれた硬貨を一枚ずつ分離して送り出す。繰出し部２０５により繰り出された硬貨は、硬貨識別部２０６に搬送される。硬貨識別部２０６は、繰出し部２０５により搬送された硬貨の真偽及び金種を識別する。硬貨識別部２０６によって識別された硬貨は、識別結果に基づいて、一時保留部２０２において一括して保留されるか、或いは、入金搬送部２０７によって金種別に金種別スタッカ２０８に搬送されて収納される。
【００２３】
出金搬送部２０４は、一時保留部２０２又は金種別スタッカ２０８にある硬貨を入出金口部２０３へ搬送する。残留検知センサ２０９は、入出金口部２０３内の下部に設置されており、入出金口部２０３における媒体（通常は、硬貨）の有無を検出するためのセンサである。
【００２４】
次に、現金自動取引処理装置の機能について説明する。
【００２５】
図３は、本発明の実施例１に係る現金自動取引処理装置の機能ブロック図である。
【００２６】
現金自動取引処理装置１００は、硬貨処理機構部１０１と、上位装置３１８と、タッチパネル部１０５と、スピーカ部３１６と、タッチパネル用カメラ１０６とを含む。上位装置３１８は、操作入力制御手段、表示制御手段、及び案内表示制御手段の一例である。上位装置３１８は、硬貨処理機構部１０１と、物体検知手段の一例としてのタッチパネル部１０５と、スピーカ部３１６と、タッチパネル用カメラ１０６とに通信可能に接続されている。タッチパネル部１０５は、取引に係るキー操作入力や案内表示を行う。スピーカ部３１６は、取引に係る案内の音声や、警告音等を発生する。スピーカ部３１６は、例えば、シャッタ２０１が開いているときに、後述する残留検知センサ２０９が硬貨を一定時間検知し続けた場合に警告音の音波を出力する。タッチパネル用カメラ１０６は、タッチパネル部１０５の画像を撮影する。上位装置３１８は、硬貨処理機構部１０１と、タッチパネル部１０５と、スピーカ部３１６と、タッチパネル用カメラ１０６と通信して、これら各部を統括制御する。例えば、上位装置３１８は、タッチパネル部１０５に入力されるキー操作に応じて利用者が行う取引のシーケンスを処理する。その際、上位装置３１８は、必要に応じて、タッチパネル部３１５に取引の案内をする情報を表示する。
【００２７】
硬貨処理機構部１０１は、シャッタ部２１５、一時保留部２０２、入出金口部２０３、出金搬送部２０４、繰出し部２０５、硬貨識別部２０６、入金搬送部２０７、金種別スタッカ２０８、メモリ２１０、及びこれらを制御する制御部２１１を備える。制御部２１１は、例えば、ＣＰＵ（Ｃｅｎｔｒａｌ  Ｐｒｏｃｅｓｓｉｎｇ  Ｕｎｉｔ）を有しており、硬貨処理機構部１０１の動作全体を制御すると共に、硬貨処理機構部１０１が内蔵される現金自動取引処理装置１００の上位装置３１８と通信する。
【００２８】
シャッタ部２１５は、シャッタ２０１と、シャッタ２０１が全開位置にあることを検出する開検知センサ２１２と、シャッタ２０１が全閉位置にあることを検出する閉検知センサ２１３と、シャッタ２０１を駆動するシャッタモータ２１４とを備える。入出金口部２０３には、入出金口部２０３内における残留媒体の有無を検知する残留検知センサ２０９が設けられている。
【００２９】
次に、タッチパネル部１０５にパネル上に置かれた硬貨（物体）を検知する方法について説明する。ここでは、赤外線遮断方式を採用したタッチパネル部１０５における硬貨検知方法について説明する。
【００３０】
図４は、本発明の実施例１に係る赤外線遮断方式のタッチパネル部の概略図である。
【００３１】
タッチパネル部１０５は、情報が表示されるとともに、利用者による操作入力を受ける対象となる例えば、矩形のパネル４０５を有する。赤外線遮断方式が採用されたタッチパネル部１０５においては、赤外線４０３を照射する赤外線発信素子４０１と、赤外線発信素子４０１に向かい合って（対向して）配置され、赤外線発信素子４０１から照射された赤外線４０３を受光する赤外線受光素子４０２との組が、パネル４０５の縦方向に間隔をあけて複数配置されるとともに、パネル４０５の横方向に間隔をあけて複数配置されている。この構成により、照射される赤外線４０３がパネル４０５上において格子状となっている。パネル４０５上に硬貨４０４（厳密には、硬貨だけでなく物体）が無いと赤外線発信素子４０１から照射された赤外線４０３の全量が向かい合う赤外線受光素子４０２に受光される。しかし、パネル４０５上に硬貨４０４（又は物体）があるとその硬貨４０４によって赤外線４０３が遮光されるため、向かい合う赤外線受光素子４０２が赤外線４０３を受光できなくなる又は受光する赤外線４０３の量が減少する。このため、タッチパネル部１０５は、受光量が減少した赤外線受光素子４０２があるとパネル４０５上に硬貨４０４があることを検知できる。また、タッチパネル部１０５は、受光量が減少した赤外線受光素子４０２がないと、タッチパネル４０５上に硬貨４０４（物体）がないことを検知できる。
【００３２】
次に、利用者が硬貨を出金する出金取引時のシーケンスにおける現金自動取引処理装置１００の処理動作を説明する。
【００３３】
図５は、本発明の実施例１に係る出金時処理のフローチャートである。
【００３４】
利用者によってタッチパネル部１０５が操作されて、出金指定金額が指定されると、出金処理が行われる（ステップ５０１）。具体的には、上位装置３１８は、指定された資金額を硬貨処理機構部１０１に通知し、硬貨処理機構部１０１は、指定された金額の硬貨を入出金口部１０３に放出する。次いで、硬貨処理機構部１０１は、シャッタ２０１を開く（ステップ５０２）。次いで、上位装置３１８は、タッチパネル部１０５の載置許容領域（本実施例では、パネル４０５の全面）における操作入力を無効とする（ステップ５０３）。ここで、操作入力を無効とするとは、利用者がパネル４０５を接触したり、タッチパネル部１０５のパネル４０５上に物を載置したりしても、操作入力として認識して、操作入力に応じた処理を行わないようにすることをいう。
【００３５】
これにより、利用者は、入出金口部２０３から硬貨を取り出すことができる。利用者は、硬貨をパネル４０５上へ掻き出すことができる。この際、操作入力は無効となっているので、硬貨をパネル４０５上においても、現金自動取引処理装置１００によって操作入力に応じた処理が実行されない。したがって、利用者は、硬貨をパネル４０５上に載置させつつ、引き出した硬貨を数えたり、財布にしまったりすることができる。
【００３６】
その後、硬貨処理機構部１０１は、入出金口部２０３に硬貨の残留がないことを残留検知センサ２０９で検知すると（ステップ５０４：ＹＥＳ）、シャッタ２０１を閉じる（ステップ５０５）。
【００３７】
一方、硬貨処理機構部１０１は、入出金口部２０３に硬貨の残留があることを残留検知センサ２０９で検知し（ステップ５０４：ＮＯ）、且つシャッタ２０１が開いた後から一定時間経過していると判断すると（ステップ５０６：ＹＥＳ）、上位装置３１８を介して、スピーカ部３１６により取り出し忘れ防止用の警告音を鳴らす（ステップ５０７）。なお、シャッタ２０１が開いた後から一定時間経過していると判断していない場合（ステップ５０６：ＮＯ）には、硬貨処理機構部１０１は、処理をステップ５０４に進める。
【００３８】
次いで、上位装置３１８は、入出金口部２０３から硬貨が掻き出されて、硬貨が残留しなくなって、シャッタ２０１が閉じられた後、入出金口部２０３のシャッタ２０１が閉じた後からパネル４０５上に載置された硬貨を財布等に移動させるまでに想定される時間としての予め決められている一定時間が経過したか否かを判定する（ステップ５０８）。この時点においては、警告音が鳴らない状態で、硬貨一時置き場となっているパネル４０５上から利用者は硬貨を一枚一枚数えながら財布にしまうことができる。
【００３９】
この結果、入出金口部２０３のシャッタ２０１が閉じた後から一定時間が経過していない場合（ステップ５０８：ＮＯ）には、上位装置３１８は、処理をステップ５０８に進める。
【００４０】
一方、入出金口部２０３のシャッタ２０１が閉じた後から一定時間が経過している場合（ステップ５０８：ＹＥＳ）には、上位装置３１８は、タッチパネル部１０５によりパネル４０５上に硬貨が残留しているか否かを検知する（ステップ５０９）。本実施例においては、パネル４０５上には通常の使用では硬貨が存在するものと考えられるので、物体が残留しているか否かの結果を、硬貨が残留しているか否かの結果とみなしている。この結果、パネル４０５上に硬貨が残留していないことを検知した場合（ステップ５０９:ＹＥＳ）には、上位装置３１８は、タッチパネル部１０５への操作入力を有効にする（ステップ５１０）。一方、パネル４０５上に硬貨が残留していることを検知した場合（ステップ５０９:ＮＯ）には、上位装置３１８は、処理をステップ５０９に進める。
【００４１】
この処理によると、現金自動取引処理装置１００から出金された硬貨をパネル４０５上に置くことができるため、利用者は硬貨をパネル４０５上に置いた状態で硬貨を数えることができる。また、この時点では、硬貨を入出金口部２０３から取り出しているため、利用者が硬貨を数えているときにスピーカ部３１６から取り出し忘れ防止用の警告音が鳴られてしまうことはない。
【実施例２】
【００４２】
次に、実施例２に係る現金自動取引処理装置について説明する。なお、実施例２に係る現金自動取引処理装置は、実施例１に係る現金自動取引処理装置１００と物理的な構成は同一である為、具体的な説明を省略する。
【００４３】
実施例２に係る現金自動取引処理装置は、実施例１に係る現金自動取引処理装置とは、出金時処理が異なっている。
【００４４】
以下に、実施例２に係る出金時処理について説明する。
【００４５】
図６は、本発明の実施例２に係る出金時処理のフローチャートである。
【００４６】
利用者によってタッチパネル部１０５が操作されて、出金指定金額が指定されると、出金処理が行われる（ステップ６０１）。具体的には、上位装置３１８は、指定された資金額を硬貨処理機構部１０１に通知し、硬貨処理機構部１０１は、指定された金額の硬貨を入出金口部１０３に放出する。次いで、上位装置３１８は、利用者にパネル４０５上に硬貨を置いて計数できることを案内するために、タッチパネル部１０５に硬貨計数案内画面７０１（図７参照）を表示する（ステップ６０２）。図７は、実施例２に係る硬貨計数案内画面の図である。硬貨計数案内画面７０１においては、「タッチパネル上に硬貨を置くことができます」との案内情報が表示される。
【００４７】
次に、上位装置３１８は、硬貨処理機構部１０１により、シャッタ開処理を実行させる。（ステップ６０３）。具体的には、硬貨処理機構部１０１の制御部２１１がシャッタ部２１５を制御してシャッタ２０１を開く。一方、上位装置３１８は、パネル４０５上に出金した硬貨の種類及び枚数を示す情報と、その合計の金額を示す情報を含む硬貨計数補助画面８０１（図８参照）を表示する（ステップ６０４）。図８は、実施例２に係る硬貨計数補助画面の図である。硬貨計数補助画面８０１には、出金した各硬貨の種類を示す種類情報８０２と、合計金額を示す合計金額情報８０３と、出金したそれぞれの種類ごとの硬貨の枚数に相当する硬貨画像８０４とが表示される。この硬貨計数補助画面８０１によると、利用者は、表示された硬貨の画像（絵）に硬貨を置くだけで硬貨の枚数及び総額が正しいかを容易に確認することができる。なお、硬貨の画像は、それぞれの種類の硬貨の写真であってもよい。この際、上位装置３１８は、画面上にパネル４０５への操作入力が無効でることや、パネル４０５上に硬貨を置いてよいことを利用者に伝える情報を表示させてもよく、又は、スピーカ部３１６によりその旨を音声出力してもよい。
【００４８】
その後、所定時間が経過した後に、上位装置３１８がパネル４０５上に硬貨なしか否かを判定する（ステップ６０５）。この結果、硬貨がないことを検知した場合（ステップ６０５：ＹＥＳ）には、上位装置３１８は、硬貨取り出し完了確認画面９０１（図９参照）を表示する（ステップ６０６）。図９は、実施例２に係る硬貨取り出し完了確認画面の図である。硬貨取り出し完了確認画面９０１には、硬貨の取り出しが完了したことを入力するはいボタン９０２（取出完了ボタンの一例）と、硬貨の取り出しが完了していないことを入力するいいえボタン９０３とがある。なお、上位装置３１８は、この硬貨取り出し完了確認画面９０１の表示時には、はいボタン９０２と、いいえボタン９０３に対する操作入力を有効とする。
【００４９】
次いで、上位装置３１８は、取り出し完了したか否かを判定する（ステップ６０７）。具体的には、硬貨取り出し完了確認画面９０１のはいボタン９０２と、いいえボタン９０３のいずれが押下されたかを判定する。
【００５０】
この結果、はいボタン９０２が押下されたことを検出した場合（ステップ６０７：ＹＥＳ）には、取り出しが完了したことを意味しているので、上位装置３１８は、パネル４０５に対する操作入力を有効にし（無効を解除し）、出金時処理を終了する。これにより、以降においては、取引処理に関するメニュー画面等が表示され、パネル４０５により各種操作入力が受付可能となる。
【００５１】
一方、いいえボタン９０３が押下されたことを検出した場合（ステップ６０７：ＮＯ）には、取り出しが完了していないことを意味しているので、上位装置３１８は、パネル４０５上に硬貨計数補助画面８０１を表示し（ステップ６０８）、所定時間待ち（ステップ６０９）、その後、処理をステップ６０５に進める。
【実施例３】
【００５２】
次に、実施例３に係る現金自動取引処理装置について説明する。なお、実施例３に係る現金自動取引処理装置は、実施例１に係る現金自動取引処理装置１００と物理的な構成は同一である為、具体的な説明を省略する。また、本実施例に係る出金処理時のフローチャートは、図５と同様である為、具体的な説明を省略する。
【００５３】
実施例３に係る現金自動取引処理装置は、実施例１に係る現金自動取引処理装置とは、パネル４０５上の硬貨検出（物体検出）の方法が異なっている。具体的には、実施例３に係る現金自動取引処理装置は、タッチパネル用カメラ１０６（撮影手段の一例）で撮影されたパネル４０５上の画像に基づいて硬貨の有無を検出する。
【００５４】
上位装置３１８は、タッチパネル用カメラ１０６により、パネル４０５上に硬貨が無い状態でパネル４０５の画像（基準画像）を撮影する。なお、この基準画像の撮影は、例えば、現金自動取引処理装置１００を設置場所に設置した際に撮影するようにしてもよい。
【００５５】
図１０は、本発明の実施例３に係るタッチパネル部のパネル上に硬貨が載置されていない場合の画像を示す図である。
【００５６】
タッチパネル部１０５のパネル４０５上に硬貨が載置されていない場合の画像（基準画像）１００１には、「タッチパネル上に硬貨を置くことができます」との文字が表示されており、パネル４０５上には、硬貨等の物が載置されていない状態となっている。
【００５７】
上位装置３１８は、例えば、出金時処理のステップ５０９におけるパネル４０５上に硬貨残留なしか否かを判定する場合には、タッチパネル用カメラ１０６により、その時点におけるパネル４０５上の画像（現時点画像）を撮影し、基準画像と現時点画像とを比較し、差分があるか否かにより、パネル４０５上の硬貨残留有無（厳密には、物の残留有無）を判定する。このような機能を有する上位装置３１８が物体検知手段の一例に相当する。
【００５８】
図１１は、本発明の実施例３に係るタッチパネル部のパネル上に硬貨が載置されている場合の画像を示す図である。
【００５９】
タッチパネル部１０５のパネル４０５上に硬貨が載置されている場合には、図１１に示すように、「タッチパネル上に硬貨を置くことができます」との文字以外に、硬貨が含まれた画像１１０１となる。したがって、基準画像１００１と、この画像１１０１とに差分がある場合には、パネル４０５上に硬貨があると判定することができる。
【００６０】
上記した実施例３によると、タッチパネル用カメラ１０６により、硬貨の有無を適切に判定することができる。
【００６１】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００６２】
例えば、上記実施例では、パネル４０５上の全面を、硬貨等を載置可能な載置許容領域としていたが、本発明はこれに限られず、例えば、載置許可領域を、パネル４０５の右半分又は左半分としてもよく、また、パネル４０５の利用者側半分としてもよく、要は、硬貨等を載置させることにより利用者の利便性が向上するパネル４０５上の少なくとも一部の領域を載置許容領域とすればよい。
【００６３】
また、上記実施形態では、硬貨の出金時処理を例に説明していたが、本発明はこれに限られず、硬貨を現金自動取引処理装置１００に預け入れる際の入金時処理に対しても適用することができ、要は、装置に対して硬貨を投入又は排出が必要となる時点において適用することができる。入金時処理においては、入出金口部２０３に硬貨を投入する際において、パネル４０５上に硬貨を載置できるように載置許容領域を設けて、操作入力を無効にするようにすればよい。
【００６４】
また、上記実施例では、取引対象物として硬貨を例に挙げて説明していたが、本発明はこれに限られず、例えば、紙幣のみ又は硬貨及び紙幣を取引対象物としてもよい。また、上記実施例では、現金の取り扱いを行う取引処理装置としていたが、本発明は、これに限らず、例えば、ゲーム用のコインや、カジノ用のチップ等を取引対象物とする装置（取引処理装置の一例）としてもよい。また、上記実施例では、取引対象物をタッチパネル部のパネル上に載置できるようにしていたが、本発明はこれに限られず、取引対象物以外の取引に関与する物をタッチパネル部のパネル上に載置できるようにしてもよい。ここで、取引対象物と、その他の取引に関与する物とが取引関与物に相当する。取引関与物の中の取引対象物以外のものとしては、取引対象物を現金とする場合には、例えば、取引対象物の引出や預け入れに使用する通帳や、キャッシュカードがある。
【符号の説明】
【００６５】
１００…現金自動取引処理装置、１０１…硬貨処理機構部、１０５…タッチパネル部、１０６…タッチパネル用カメラ、２０１…シャッタ、２０２…一時保留部、２０３…入出金口部、２０４…出金搬送部、２０５…繰出し部、２０６…硬貨識別部、２０７…入金搬送部、２０８…金種別スタッカ、２０９…残留検知センサ、２１０…メモリ、２１１…制御部、２１２…開検知センサ、２１３…閉検知センサ、２１４…シャッタモータ、２１５…シャッタ部、３１６…スピーカ部、３１８…上位装置、４０１…赤外線発信素子、４０２…赤外線受信素子、４０３…赤外線、４０４…硬貨、４０５…パネル
【図１】
2019139668.tif 000003
【図２】
2019139668.tif 000004
【図３】
2019139668.tif 000005
【図４】
2019139668.tif 000006
【図５】
2019139668.tif 000007
【図６】
2019139668.tif 000008
【図７】
2019139668.tif 000009
【図８】
2019139668.tif 000010
【図９】
2019139668.tif 000011
【図１０】
2019139668.tif 000012
【図１１】
2019139668.tif 000013